(57)【特許請求の範囲】
【請求項１】
インキ収容筒の先端部に、ボールペンチップを装着してなるボールペンにおいて、前記ボールペンチップが、チップ本体に、ボール抱持室の底壁の中央に形成したインキ流通孔と、該インキ流通孔から放射状に延びる複数本のインキ流通溝とを有し、前記ボール抱持室の底壁に、略円弧面状のボール座を設け、前記ボール座にφ０．５ｍｍのボールを載置し、チップ先端部を内側にかしめることにより、ボールの一部をチップ先端縁より突出させて回転自在に抱持してなり、前記チップ先端部の内壁に、略円弧面状のシール面を形成するとともに、前記ボールが、ボール座に載置している状態のチップ先端より臨出するボール出はボール径の１０．０〜３０．０％、ボールの縦方向のクリアランスが５〜３０μｍ、ボール抱持室の内径はボール径の１０５．０〜１２０．０％、且つ縦断面における前記ボール座の先端縁と、前記ボール座の先端縁と軸心で対峙する位置の前記シール面の先端縁とを結ぶ交線の交点が、ボールの中心、又はボールの中心からボール径の５．０％以下の円の範囲内であるとともに、前記インキ収容筒内に、２０℃、剪断速度３８４ｓｅｃ−１におけるインキ粘度が１０〜５，０００ｍＰａ・ｓの剪断減粘性を付与した水性ボールペン用インキを充填し、且つ１００ｍ当たりのインキ消費量が、２００〜５００ｍｇであることを特徴とするボールペン。
【請求項２】
インキ収容筒の先端部に、ボールペンチップを装着してなるボールペンにおいて、前記ボールペンチップが、チップ本体に、ボール抱持室の底壁の中央に形成したインキ流通孔と、該インキ流通孔から放射状に延びる複数本のインキ流通溝とを有し、前記ボール抱持室の底壁に、略円弧面状のボール座を設け、前記ボール座にφ０．５ｍｍのボールを載置し、チップ先端部を内側にかしめることにより、ボールの一部をチップ先端縁より突出させて回転自在に抱持してなり、前記チップ先端部の内壁に、略円弧面状のシール面を形成し、前記ボールの後方には、コイルスプリングを配設してあり、この押圧力によって、ボールを前記シール面側に押圧し、前記ボールの後方には、コイルスプリングを配設してあり、この押圧力によって、ボールを前記シール面側に押圧するとともに、前記ボールが、ボール座に載置している状態のチップ先端より臨出するボール出はボール径の１０．０〜３０．０％、ボールの縦方向のクリアランスが５〜３０μｍ、ボール抱持室の内径はボール径の１０５．０〜１２０．０％、且つ縦断面における前記ボール座の先端縁と、前記ボール座の先端縁と軸心で対峙する位置の前記シール面の先端縁とを結ぶ交線の交点が、ボールの中心、又はボールの中心からボール径の５．０％以下の円の範囲内であるとともに、前記インキ収容筒内に、２０℃、剪断速度５００ｓｅｃ−１におけるインキ粘度が１０〜５，０００ｍＰａ・ｓの油性ボールペン用インキを充填し、且つ１００ｍ当たりのインキ消費量Ｙが、ボール径Ｘとしたとき、Ｙ≧７０Ｘであることを特徴とするボールペン。
【請求項３】
前記チップ先端部のかしめ角度が、直角より大きく、１２０度以下であることを特徴とする請求項１または２に記載のボールペン。
【請求項４】
前記ボール座の径が、前記シール面の先端内径と略同等であることを特徴とする請求項１ないし３の何れか１項に記載のボールペン。
【発明の詳細な説明】
【技術分野】
【０００１】
本発明は、チップ本体に、ボール抱持室の底壁の中央に形成したインキ流通孔と、該インキ流通孔から放射状に延びる複数本のインキ流通溝とを有し、前記ボール抱持室の底壁に、略円弧面状のボール座を設け、前記ボール座にボールを載置し、チップ先端部を内側にかしめることにより、ボールの一部をチップ先端縁より突出させて回転自在に抱持してなるボールペンチップに関する。
【背景技術】
【０００２】
従来から、チップ本体に、ボール抱持室の底壁の中央に形成したインキ流通孔と、該インキ流通孔から放射状に延びる複数本のインキ流通溝とを有し、前記ボール抱持室の底壁に、略円弧面状のボール座を設け、前記ボール座にボールを載置し、チップ先端部を内側にかしめることにより、ボールの一部をチップ先端縁より突出させて回転自在に抱持してなるボールペンチップについてよく知られている。
【０００３】
こうしたボールペンチップを用いたボールペンにおいて、紙面へのインキ吐出のメカニズムは、水性ボールペン用インキなどの紙面へ浸透するタイプと、油性ボールペン用インキなどの紙面へ転写するタイプとに大別できる。こうした、ボールペンでは、紙面へ浸透又は転写できなかったボールペン用インキは、再度、チップ内に戻る、インキリターンを行うことで、チップ先端部にインキが残り、滴化する泣き現象、該チップ先端部に残ったインキが滴化して筆跡に転写されるとボテ現象が発生する問題を抱えている。
【０００４】
ところで、ボールペンチップにおいて、特開平６−１５２１８号公報「塗布具の製造方法」に開示のように、チップ先端部からのインキ漏れ防止等のため、チップ先端部の内壁に、略円弧面状のシール面を形成することが開示されている。
【０００５】
また、特開２００１−１７１２８０号公報「ボールペンチップの製造方法」では、チップ先端部の内壁とボールとの隙間やチップ先端部の内壁面幅によって、インキ流出量をコントロールし、描線濃度やボール座の摩耗を抑制することが開示されている。
【先行技術文献】
【特許文献】
【０００６】
【特許文献１】特開平６−１５２１８号公報
【特許文献２】特開２００１−１７１２８０号公報
【発明の概要】
【発明が解決しようとする課題】
【０００７】
しかし、筆記時のボールの回転によって、ボール座など、ボール抱持室の底壁側の摩耗が発生しやすいことも事実であるが、チップ先端部の内壁も摩耗が発生している。このチップ先端部の内壁の摩耗が大きくなると、インキの垂れ下がりや筆跡に影響する恐れがあった。
【０００８】
本発明はこれらの従来技術に鑑みてなされたものであって、安定したインキ流出量を得るとともに、インキリターンし易すく、チップ先端部の内壁の摩耗を抑制したボールペンチップを簡単な構造で提供することにある。
【課題を解決するための手段】
【０００９】
本発明は、前記問題を解決するために、インキ収容筒の先端部に、ボールペンチップを装着してなるボールペンにおいて、前記ボールペンチップが、チップ本体に、ボール抱持室の底壁の中央に形成したインキ流通孔と、該インキ流通孔から放射状に延びる複数本のインキ流通溝とを有し、前記ボール抱持室の底壁に、略円弧面状のボール座を設け、前記ボール座にφ０．５ｍｍのボールを載置し、チップ先端部を内側にかしめることにより、ボールの一部をチップ先端縁より突出させて回転自在に抱持してなり、前記チップ先端部の内壁に、略円弧面状のシール面を形成し、前記ボールの後方には、コイルスプリングを配設してあり、この押圧力によって、ボールを前記シール面側に押圧するとともに、前記ボールの縦方向のクリアランスが５〜３０μｍ、且つ縦断面における前記ボール座の先端縁と、前記ボール座の先端縁と軸心で対峙する位置のシール面の先端縁とを結ぶ交線の交点が、ボールの中心、又はボールの中心からボール径の５．０％以下の円の範囲内であるとともに、前記インキ収容筒内に、２０℃、剪断速度３８４ｓｅｃ−１におけるインキ粘度が１０〜５，０００ｍＰａ・ｓの剪断減粘性を付与した水性ボールペン用インキを充填し、且つ１００ｍ当たりのインキ消費量が、２００〜５００ｍｇ又は２０℃、剪断速度５００ｓｅｃ−１におけるインキ粘度が１０〜５，０００ｍＰａ・ｓの油性ボールペン用インキを充填し、且つ１００ｍ当たりのインキ消費量Ｙが、ボール径Ｘとしたとき、Ｙ≧７０Ｘであることを特徴とする。
【００１０】
また、前記チップ先端部のかしめ角度が、直角より大きく、１２０度以下であることを特徴とする。
【００１１】
さらにまた、前記ボール座の径が、前記シール面の先端内径と略同等であることを特徴とする。
【００１２】
本願発明の請求項１の構成によれば、前記チップ先端部の内壁に、略円弧面状のシール面を形成するとともに、縦断面における前記ボール座の先端縁と、前記端縁と軸心で対峙する位置のシール面との先端縁を結ぶ交線の交点が、前記ボールの略中心を通ることで、ボールの偏りを抑制し、ボールがボール座から外れないようにしているため、ボールの回転をスムーズにするとともに、前記ボールとチップ先端部の内壁との隙間も一定に維持しやすいため、安定したインキ流出量を得ることができ、インキリターンしやすい効果を奏する。
【００１３】
また、ボールの偏りを抑制することで、ボールの回転によるボール座及びチップ先端部のシール面の偏摩耗を抑制することもできる。さらに、前記ボールが、略円弧状のボール座とシール面によって前後方向の移動を規制されているため、ボールの回転をスムーズにすることができる。
【００１４】
尚、本願発明の縦断面における前記ボール座の先端縁と、前記端縁と軸心で対峙する位置のシール面との先端縁を結ぶ交線の交点が、前記ボールの略中心を通るとは、ボールの中心及びその近傍を通過するものであり、具体的には、前記交点が、ボールの中心及びボールの中心からボール径の１０．０％以下の円、好ましくは５．０％以下の円の範囲を通ることが望ましい。
【００１５】
本願発明の請求項２の構成によれば、ボールペンチップにおいて、前記チップ先端部のかしめ角度を鈍角とすることで、ボール保持力を高めるとともに、かしめ角度を９０度以下にする場合に比べ、ボールとチップ先端部の間にインキを溜める空間を大きくすることができるため、インキリターンしやすく、インキの這い上がりを抑制することができる。
【００１６】
本願発明の請求項３の構成によれば、前記ボール座の径が、前記シール面の先端内径と略同等とすることで、筆圧を受けた状態で、ボールがボール座に安定して載置して回転しやすい。
【００１７】
本発明のボールペンチップは、剪断減粘性を付与した水性又は油性ボールペン用インキ、ニュートン粘性の油性ボールペン用インキなど、特に限定されるものではなく、インキ粘度もまた特に限定されるものではないが、筆記時の粘度が１０ｍＰａ・ｓ未満の場合には、インキ粘度が低過ぎて、ボール座の摩耗が抑制し難くなる傾向があり、また、筆記時のインキ粘度が５，０００ｍＰａ・ｓを超えると、筆記時のボール回転抵抗が大きくなり、筆感が重くなる傾向がある。そのため、筆記時のインキ粘度は、１０〜５，０００ｍＰａ・ｓが好ましい。より好ましくは、３０〜３，０００ｍＰａ・ｓであり、最も好ましくは、５０〜２，５００ｍＰａ・ｓである。
【００１８】
前記したインキ粘度は、剪断減粘性を付与した水性ボールペン用インキの場合には、ブルックフィールド社製ＤＶ−ＩＩ粘度計（ＣＰＥ−４２ローター）、２０℃、剪断速度３８４ｓｅｃ−１におけるインキ粘度、剪断減粘性を付与した油性ボールペン用インキ、ニュートン粘性の油性ボールペン用インキの場合には、ティー・エイ・インスツルメント株式会社製ＡＲ−Ｇ２（ステンレス製４０ｍｍ２°  ローター）、２０℃、剪断速度５００ｓｅｃ−１におけるインキ粘度を示す。
【００１９】
剪断減粘性を付与した水性ボールペン用インキを用いた場合には、１００ｍ当たりのインキ消費量Ｙが、１００〜８００ｍｇ、好ましくは２００〜５００ｍｇとすることで、濃い筆跡及び滑らかな筆感を得られやすくすることができる。
【００２０】
また、油性ボールペン用インキを用いた場合には、１００ｍ当たりのインキ消費量Ｙが、ボール径Ｘとしたとき、Ｙ≧６０Ｘ、好ましくはＹ≧７０Ｘとすることで、濃い筆跡及び滑らかな筆感を得られやすくすることができる。
【発明の効果】
【００２１】
本発明は、安定したインキ流出量を得るとともに、インキリターンし易すく、チップ先端部の内壁の摩耗を抑制したボールペンチップを簡単な構造で提供することができた。
【図面の簡単な説明】
【００２２】
【図１】実施例１のボールペンチップを示す縦断面図である。
【図２】図１における、Ａ−Ａ矢視断面図である。
【図３】図１における、一部省略した要部拡大断面図である。
【図４】実施例１のボールペンチップを用いたボールペンレフィルを示す図である。
【発明を実施するための形態】
【００２３】
図１から図３に示す実施例１のボールペンチップ１は、ステンレス鋼線材からなるチップ本体２のボール抱持室３の中央にインキ流通孔７と、このインキ流通孔７から放射状に延び、チップ後部孔９に達しないインキ流通溝６を形成した底壁４に、略円弧面状のボール座５を設け、このボール座５にφ０．５ｍｍのタングステンカーバイド製のボール９を載置し、チップ先端部２ａを内側にかしめことにより、ボール９の一部がチップ先端縁より突出するように回転自在に抱持してある。また、チップ先端部２ａの内壁には、略円弧面状のシール面２ｂを設けてある。
【００２４】
具体的には、ボールペンチップ１は、φ２．３ｍｍ、硬度が２３０Ｈｖ〜２８０Ｈｖのステンレス鋼線材を所望の長さに切断し、ボール抱持室３、インキ流通孔７と、インキ流通孔７から放射状に伸びるインキ流通溝６を作製後、ボール抱持室３の底壁４に、略円弧面状のボール座５を形成してある。その後、ボール９をボール座５に載置し、チップ先端部２ａを内側へかしめる。
【００２５】
また、ボール９が、ボール座５に載置している状態のチップ先端より臨出するボール出Ｈは、ボール径の３０．０％、かしめ角度αは９３度、シール面２ｂの先端縁の内径は、ボール径の９５．４％、ボール９の縦方向のクリアランスが２０μｍとし、ボール抱持室の内径は、ボール径の１１０．０％、ボール座５の径は、ボール径の９５．０％としてある。
【００２６】
また、チップ先端部２ａの内壁には、略円弧形状のシール面２ｂを形成してあり、図１、図３に示すように、縦断面にけるボール座５とシール面２ｂは、ボール座５の先端縁と、軸心Ｊで対峙する位置のシール面２ｂの先端縁を結ぶ交線Ｋ１、Ｋ２の交点Ｋが、ボール９がボール座５に載置した状態で、ボール９の略中心Ｃを通過するようにしてある。尚、ボール９の中心Ｃと同心の円Ｒ１は、ボール９に対して直径が約１０．０％の円であり、Ｒ２はボール９に対して直径が約５．０％の円である。
【００２７】
図４に示すのは、本発明のボールペンチップ１をボールペン１１として用いた例である。具体的には、インキ収容筒１２の先端部に、実施例１のボールペンチップ１を装着してある。インキ収容筒１２内には、平均粒径が０．５μｍの可逆熱変色性のマイクロカプセル顔料を含有し、剪断速度３８４ｓｅｃ−１におけるインキ粘度が８４ｍＰａ・ｓ（２５℃）で、剪断減粘指数が０．４８の剪断減粘性を付与した水性ボールペン用インキ１４と、グリース状のインキ追従体１５を収容してある。
【００２８】
ボール９の後方には、コイルスプリング１３を配設してあり、この押圧力によって、ボール９をチップ先端部２ａのシール面２ｂ側に押圧してある。尚、ボール９を押圧するコイルスプリング１３の押圧力は１０ｇｆとしてあり、ボール保持力は、４５０ｇｆであった。
【００２９】
このボールペンレフィル１１を用いて紙面に筆記すると、インキ収容筒１２にあるボールペンインキ１４は、ボールペンチップ１の後部孔９からインキ流通孔７、インキ流通溝６を通じてボール９とボール抱持室３に供給される。また、ボール９とボール抱持室３に供給されたボールペンインキ１４は、筆圧によって、前記した縦方向のクリアランス分、ボール９がボール座５側に移動して、チップ先端部２ａの内壁とボール９に隙間を生じ、インキを吐出して筆記することができる。
【００３０】
尚、本実施例では、かしめ角度として９３度としてあるが、鈍角であれば特に限定されるものではないが、かしめ角度が大きすぎると、紙当たり角度が小さくなる傾向となるため、１２０度以下、好ましくは１１０度以下とすることが好ましい。かしめ角度を鈍角とすることで、ボール９とチップ先端縁の間にインキを溜める空間Ｌを大きくすることができるため、インキリターンしやすく、インキの這い上がりを抑制することができる。
【００３１】
また、ボール出、クリアランス、ボール抱持室の内径は、特に限定されるものではないが、前記したインキ消費量を得るために、ボール出は、ボール径の１０．０〜３０．０％、クリアランスは、５〜３０μｍ、ボール抱持室の内径は、ボール径の１０５．０〜１２０．０％とすることが好ましい。
【産業上の利用可能性】
【００３２】
本発明のボールペンチップは、使用するインキに限定されることなく使用可能で、油性ボールペン用インキや水性ボールペン用インキ、剪断減粘性を付与したインキ、修正用インキなど、インキの種類に関わらず使用することができるため、ボールペンとして広く利用可能である。
【符号の説明】
【００３３】
１  ボールペンチップ
２  チップ本体
２ａ  先端部
２ｂ  シール面
３  ボール抱持室
４  底壁
５  ボール座
６  インキ流通溝
７  インキ流通孔
９  ボール
１１  ボールペンレフィル
１２  インキ収容筒
１３  コイルスプリング
１４  ボールペン用インキ
１５  インキ追従体
Ｃ  ボールの中心
Ｊ  軸心
Ｋ  交点
Ｋ１、Ｋ２  交線
【図１】
0005757723.tif 000002
【図２】
0005757723.tif 000003
【図３】
0005757723.tif 000004
【図４】
0005757723.tif 000005